(57)【要約】【課題】スポーツ時にも嵩張ることなく、簡単に使用することができ、ファッション性の高い携帯電話機用ホルダを提供できるようにする。【解決手段】リストバンドと、このリストバンドに取付け手段により設けられた携帯電話機カバーとからなり、携帯電話機カバーは取付け手段と電話機収納部とからなる。【選択図】    図１
2005000587.tif 000002
【特許請求の範囲】
【請求項１】
リストバンドと、このリストバンドに取付け手段により設けられた携帯電話機カバーとからなり、携帯電話機カバーは取付け手段と電話機収納部とからなる携帯電話機用ホルダ。
【請求項２】
携帯電話機カバーを着脱手段によりリストバンドに着脱可能に設けたことを特徴とする請求項１に記載の携帯電話機用ホルダ。
【請求項３】
着脱手段がベルベット式ファスナで形成されていることを特徴とする請求項２に記載の携帯電話機用ホルダ。
【請求項４】
携帯電話機カバーがキャラクタを模したものである請求項１又は請求項２に記載の携帯電話機用ホルダ。
【発明の詳細な説明】
【０００１】
【発明の属する技術分野】
本発明は携帯電話機用ホルダに関するものである。
【０００２】
【従来の技術】
一般に、携帯電話機は小型軽量化が進み、ポケットやバッグ等に収納して常時携行することができるようになった。
ところが、ポケットやバッグ等にいれて携行する場合、例えばポケットに入れた時には、いくら小型化しているとはいえ、嵩張ってしまい、ジョギング等、スポーツの邪魔になるだけでなく、取出す時も面倒で時間がかかるという問題がある。
また、バッグに入れて携行する時でも、取り出して使用する場合、時間がかかるという問題がある。
【０００３】
そこで、例えば携帯電話機を収納するケースに、肩バンドに装着する取付け部や、肩バンドに設けた掛止用環に掛合させるフックを設け、これら取付け部を肩バンドに装着したり、フックを掛止用環に取付けて使用するようにしたものが先に提案されている（例えば特許文献１参照）。
【０００４】
【特許文献１】
実用新案登録第３０６８２１１号（図１）
【０００５】
【発明が解決しようとする課題】
上記先の提案にかかるものでは、携帯電話機が肩バンド部分、即ち、胸の部分に固定されていることから、これを使用する場合、携帯電話機を収納するケースを取り外してから携帯電話機をケースから取出して使用するか、ケースから携帯電話機のみを取出して使用しなくてはならず。いずれの場合でも手間がかかるという問題があった。
【０００６】
更に、携帯電話機がリュック等の肩バンド部分に固定するものであり、肩バンドを有するものにしか実施できず、用途が限られるうえ、肩バンドの部分（胸の部分）に携帯電話機が露出した状態で固定されていることから、見栄えが悪く、ファッション性にも問題があった。
本発明は上記問題点に鑑み提案されたもので、スポーツ時にも嵩張ることなく、簡単に使用することができ、ファッション性の高い携帯電話機用ホルダを提供できるようにすることを目的とするものである。
【０００７】
【課題を解決するための手段】
上記目的を達成するために、本発明にかかる携帯電話機用ホルダは、先ず、  リストバンドと、このリストバンドに取付け手段により設けられた携帯電話機カバーとからなり、携帯電話機カバーは取付け手段と電話機収納部とからなることを特徴とするものである。
【０００８】
また、携帯電話機カバーを着脱手段によりリストバンドに着脱可能に設ける用にしたことや、着脱手段がベルベット式ファスナで形成したり、更に、携帯電話機カバーがキャラクタを模したりしたことも特徴とするものである。
【０００９】
【発明の実施の形態】
以下、本発明にかかる携帯電話機用ホルダの好ましい一実施例を図面に基づいて説明する。
図１は本発明にかかる携帯電話機用ホルダの分解斜視図であって、図中符号１は携帯電話機用ホルダを全体的に示す。
この携帯電話機用ホルダ１はリストバンド２と、折畳式の携帯電話機３を収納する携帯電話機カバー４と、携帯電話機カバー４をリストバンド２に取付ける取付け手段５とを備えてなる。
【００１０】
リストバンド２は、綿等の吸湿性を有する繊維でゴム糸等の弾性糸を挿入し、表面にループパイルを形成した筒状に形成されており、表面の一部には取付け手段５の一方５ａが縫着により取付けられている。
上記携帯電話機カバー４は、布帛で矩形に改正されており、一側面（図１上、手前側の面）に折畳式の携帯電話機３の上端部３ａ及び下端部３ｂを保持する保持部４ａ・４ｂを形成した携帯電話機収納部６が形成されている。
【００１１】
また、携帯電話機カバー４の他側面（図１上、裏面側の面）には図３に示すようにキャラクタの図柄７が形成されるとともに、下半部にはリストバンド２の表面に形成された前記取付け手段５の一方５ａに対面する位置に取付け手段５の他方５ａが取付けられている。
上記取付け手段５は、表面部分にループを形成したもの５ａと、このループに掛合するフックを表面に形成したもの５ｂとを組合せた所謂ベルベットクロス式ファスナで形成してある。
【００１２】
上記のように形成された携帯電話機用ホルダ１を使用する手順を次に説明する。
先ず、折畳式携帯電話機３を図１のように広げた状態にし、携帯電話機３の上端部３ａ及び下端部３ｂを、携帯電話機カバー４の保持部４ａ・４ｂに保持させる。
次に、携帯電話機カバー４の裏面に形成された取付け手段５のフックを形成したもの５ｂとリストバンド２の表面に形成されたループ部分のもの５ａとを掛合させることにより、図２に示すように携帯電話機３を収納した携帯電話機カバー４をリストバンド２に装着する。
【００１３】
そして、携帯電話機３を折り畳んでからリストバンド２を図３に示すように手首部分７に装着する。
此処で、本例では携帯電話機３を装着した携帯電話機カバー４をリストバンド２に取付けてから当該リストバンド２を手首部分７に装着するようにしてあるが、こうした手順にかえて、リストバンド２を先に手首部分７に装着した後、携帯電話機３を装着した携帯電話機カバー４をリストバンド２に取付けるようにすることができるのはもちろんの事である。
【００１４】
如かして、手首部分７に装着された携帯電話機３は取付け手段５及びリストバンド２を介して手首部分７に確りと保持されているので、ジョギング等のスポーツ時にも邪魔になることがない。
この折り畳んだ状態では、携帯電話機３はキャラクタを模した図案の携帯電話機カバー４で覆われた状態になっていることから、そのキャラクタをアクセサリーとしも楽しむことができる。
また、着信時や発信時には図３の状態から、折り畳み電話機３を開き図４の状態にしてスピーカ部分を耳に、マイク部分を口にあてがうだけで簡単に使用することができる。
【００１５】
尚、上記実施の形態では、携帯電話機３を折り畳み式にしてあるが、こうしたものに限られないことは勿論のこと、取付け手段５もベルベット式ファスナに代えてホック式や粘着テープ等にすることができるのは言うまでもないことである。
また、取付け手段５は上述のように着脱可能なものに限られず、携帯電話機カバーをリストバンドに直接縫着して一体化することにより着脱不能にすることも可能である。
【００１６】
【発明の効果】
本発明にかかる携帯電話機用ホルダは、以上に説明したように、リストバンドと、このリストバンドに取付け手段により設けられた携帯電話機カバーとからなり、携帯電話機カバーは取付け手段と電話機収納部とで構成するようにしてあるので、携帯電話機は常時手首部分に取付けられている。
これにより、例えばポケット等に入れた場合のように嵩張らず、ジョギング等、のスポーツ時にも携帯電話機が邪魔になることがない。
【００１７】
また、携帯電話機は携帯電話機カバーに収納された状態で手首部分に保持されていることから、直接外部に露出することがなく見栄えがよくファッション性を損なうことがない。
特に、携帯電話機カバーがキャラクタを模したものでは、ファッション性を一段と向上させることができる利点がある。
【００１８】
しかも、携帯電話機は手首部分に保持されていることから、これを使用する時は、手首部分を耳から口にあてがうだけで簡単、且つ即座に使用することができると言う利点もある。
【図面の簡単な説明】
【図１】は本発明にかかる携帯電話機用ホルダの分解斜視図である。
【図２】は本発明にかかる携帯電話機用ホルダの携帯電話機を携帯電話機カバーに装着した状態の斜視図である。
【図３】は本発明にかかる携帯電話機用ホルダを手首部分に装着した状態の斜視図である。
【図４】は本発明にかかる携帯電話機用ホルダの使用状態の斜視図である。
【符号の説明】
１・・・携帯電話機用ホルダ
２・・・リストバンド
３・・・携帯電話機
４・・・携帯電話機カバー
５・・・取付け手段
【図１】
2005000587.tif 000003
【図２】
2005000587.tif 000004
【図３】
2005000587.tif 000005
【図４】
2005000587.tif 000006